(57)【要約】      （修正有）【課題】貯水タンク内に手等を汚すことなく固形洗浄剤を投入することができ、小さい貯水タンクでも配置が可能であり、使用できる固形洗浄剤の形状や大きさが限定されない水洗トイレ用固形洗浄剤溶出袋を提供する。【解決手段】水洗トイレ用固形洗浄剤溶出袋は、網状体、多孔体等の透水性の袋で柔軟性がある溶出袋部１０を具備しており、袋下端が貯水タンク底部より上位に位置し、満水時に固形洗浄剤が浸漬するよう形成され、袋下端部に重り体２０を備えており、且つ、溶出袋の上方から固形洗浄剤を投入できるよう袋の上方に開口部３０ａが設けられており、リング状、四角形状等の枠体３０により、その全周が袋の開口部３０ａと接続しており、袋を貯水タンクの上縁に係止するためのフック等の取付具４０が枠体３０に設けられている。【選択図】図１
0003169900.tif 000002
【実用新案登録請求の範囲】
【請求項１】
水洗トイレの貯水タンク内に配置される袋に、固形洗浄剤を入れて使用する水洗トイレ用固形洗浄剤溶出袋であって、網状体、多孔体等の透水性の袋で柔軟性がある溶出袋部を具備しており、袋下端が貯水タンク底部より上位に位置し、満水時に固形洗浄剤が浸漬するよう形成され、袋下端部に重り体を備えたことを特徴とする水洗トイレ用固形洗浄剤溶出袋。
【請求項２】
前記水洗トイレ用固形洗浄剤溶出袋において、貯水タンク内に配置される袋に、上方から固形洗浄剤を投入できるよう袋の上方に開口部が設けられており、リング状、四角形状等の枠体により、その全周が袋の開口部と接続しており、袋を貯水タンクの上縁に係止するためのフック等の取付具が枠体に設けられていることを特徴とする請求項１に記載の水洗トイレ用固形洗浄剤溶出袋。
【考案の詳細な説明】
【技術分野】
【０００１】  本考案は、貯水タンク式水洗トイレの貯水タンク内に投入して用いる固形洗浄剤を収納するための投入式固形洗浄剤の溶出袋に関する。
【背景技術】
【０００２】  従来において、水洗式便器への汚れの付着防止と芳香消臭などを目的として、水洗トイレの貯水タンク内に配置する固形洗浄剤が用いられている。【０００３】  この種の固形洗浄剤は、大別して、固形洗浄剤そのものを貯水タンク内に投入してタンクの底面に固定させて使用するタイプ（投入型という）のものと、固形洗浄剤の溶出調節容器を、吊持手段を介して貯水タンク内に吊り下げるタイプ（容器型という）のものがある。【０００４】  上記容器型のものは、新しい洗浄剤と交換する毎に、容器の取り出しという厄介な作業が余儀なくされ、配置する度に、手や貯水タンク周辺を濡らすことや汚すことがある。【０００５】  一方、この容器の取り出しという作業により手を濡らすことなく固形洗浄剤のセットを行うことができる溶出調節容器として、下記特許文献１〜４に示すようなものがある。
下記特許文献１、２には、溶出調節容器を貯水タンク内に配置するだけで、後は固形洗浄剤を投入すれば使用することができるものが示されている。しかし、これらは小さい貯水タンクでは浮き球などが接触してしまい配置できないことがあるという問題点を有する。
下記特許文献３は、溶出調節容器に固形洗浄剤を水面上からセットすることができ、手を濡らすことなく固形洗浄剤をセットできるという利点を有する。しかし、固形洗浄剤にガイド穴を設ける作業が必要である。また、使用できる固形洗浄剤の形状や大きさが限定されている。
下記特許文献４には、貯水タンクの側面に設けられた給水用予備孔を利用し、給水用予備孔を通りうる形態の支持体と給水用予備孔に係止する取付具を設けたものが示されている。下記特許文献４では給水用予備孔を使用するため、給水用予備孔の口径より小さい固形洗浄剤を使用することになり、使用できる固形洗浄剤の大きさが限定されている。
【先行技術文献】
【０００６】
【特許文献１】実開平７−３８２７９号公報
【特許文献２】実開平７−３８２７８号公報
【特許文献３】実開平７−３８２７７号公報
【特許文献４】実開平３−１３３７８号公報
【考案の概要】
【考案が解決しようとする課題】
【０００７】  上記投入型の固形洗浄剤は、貯水タンクの蓋を外して固形のまま投げ込まれる。貯水タンク内に投入した際に所望の位置に入らず、洗浄剤が排水口の近くに投入されてしまうことがある。【０００８】  また、所望の位置に固形洗浄剤が投入されたとしても、貯水タンク内の水流により徐々に洗浄剤が移動して排水口に詰まり、便器洗浄後、貯水タンクから放水された水が止まらないという不都合が生じていた。【０００９】  一方で、上記容器型のものは、配置する度に容器の取り出しといった作業が余儀なくされ、手や貯水タンク周辺を濡らすことや汚すことがある。【００１０】  もう一方で、従来の手を濡らすことなく固形洗浄剤がセットできる溶出調節容器は、小さい貯水タンクでは浮き球などが接触してしまい配置できない可能性がある。【００１１】  また、使用できる固形洗浄剤の形状や大きさが限定されてしまう。【００１２】  本考案は、上述のような課題に鑑み、貯水タンク内に手等を汚すことなく固形洗浄剤を投入することができ、小さい貯水タンクでも配置が可能であり、使用できる固形洗浄剤の形状や大きさが限定されない水洗トイレ用固形洗浄剤溶出袋を提供することを課題とする。
【課題を解決するための手段】
【００１３】  上記課題を解決するために本考案は次のような構成を有する。
請求項１に記載の考案は、水洗トイレの貯水タンク内に配置される袋に、固形洗浄剤を入れて使用する水洗トイレ用固形洗浄剤溶出袋であって、網状体、多孔体等の透水性の袋で柔軟性がある溶出袋部を具備しており、袋下端が貯水タンク底部より上位に位置し、満水時に固形洗浄剤が浸漬するよう形成され、袋下端部に重り体を備えたことを特徴とする。【００１４】  請求項２に記載の考案は、水洗トイレ用固形洗浄剤溶出袋において、貯水タンク内に配置される袋に、上方から固形洗浄剤を投入できるよう袋の上方に開口部が設けられており、リング状、四角形状等の枠体により、その全周が袋の開口部と接続しており、袋を貯水タンクの上縁に係止するためのフック等の取付具が枠体に設けられていることを特徴とする。
【考案の効果】
【００１５】  請求項１、または請求項２に記載の考案によれば、一度水洗トイレの貯水タンク内の所定位置に溶出袋をセットすれば、後は単に固形の洗浄剤を溶出袋に投入するだけで、貯水タンクの排水口を詰まらせることがない。【００１６】  また、容器型のように、配置する度に容器の取り出しといった作業が必要ない為、手や貯水タンク周辺を濡らすことや汚すこともない。【００１７】  また、小さい貯水タンクでも配置が可能であり、使用できる固形洗浄剤の形状や大きさが限定されることもない。
【図面の簡単な説明】
【００１８】
【図１】図１は本考案に係る水洗トイレ用固形洗浄剤溶出袋と固形洗浄剤の構成を示す斜視図である。
【図２】図２（ａ）は本考案に係る水洗トイレ用固形洗浄剤溶出袋の袋下端部内面に重り体を備えたＡ−Ａ断面視図であり、（ｂ）は水洗トイレ用固形洗浄剤溶出袋の袋下端部外面に重り体を備えたＡ−Ａ断面視図である。
【図３】図３（ａ）は本考案に係る水洗トイレ用固形洗浄剤溶出袋と貯水タンク壁面の構成を示す縦断面図であり、（ｂ）は水洗トイレ用固形洗浄剤溶出袋と貯水タンク全体、また、水洗トイレ用固形洗浄剤溶出袋と貯水タンク内の水面との構成を示す縦断面図である。
【考案を実施するための形態】
【００１９】  以下、本考案の実施の形態について、図面を参照しながら説明する。
図１に本考案に係る水洗トイレ用固形洗浄剤溶出袋Ｘと固形洗浄剤Ｌの構成の斜視図を示す。水洗トイレ用固形洗浄剤溶出袋Ｘは、溶出袋部１０、重り体２０、枠体３０、取付具４０を有する。
溶出袋部１０は、網状体、多孔体等の透水性の袋で柔軟性があるものからなり、袋下端部内面１０ａまたは、袋下端部外面１０ｂに重り体２０を備えている。また、溶出袋の枠体３０は、リング状、四角形状等でなり、その全周が袋の開口部３０ａと接続しており、袋を貯水タンクの上縁に係止するためのフック等の取付具４０が枠体３０に設けられている。
【００２０】  重り体２０は、袋内面に備えられていても袋外面に備えられていてもよい。図２（ａ）に水洗トイレ用固形洗浄剤溶出袋Ｘの袋下端部内面１０ａに重り体２０を備えた図を示し、図２（ｂ）に水洗トイレ用固形洗浄剤溶出袋Ｘの袋下端部外面１０ｂに重り体２０を備えた図を示す。重り体２０の形状は球状等、任意であり、重り体２０の材質は、プラスチック、ステンレス等、貯水タンクＷの水中で腐食、溶解せず材質が変化しないものであれば任意である。
重り体２０を備えることで、固形洗浄剤Ｌがなくなっても、溶出袋が貯水タンクの水面に浮かび浮き球Ｎなどに接触してしまうことがない。
【００２１】  枠体３０は、その全周が袋の開口部３０ａと接続していることで、固形洗浄剤Ｌを開口部３０ａから簡単に投入することができる。枠体３０は、上記実施形態ではリング状、四角形状等としたが、その全周が袋の開口部３０ａと接続しており、固形洗浄剤Ｌが開口部３０ａを通れば形状は任意であり、枠体３０の材質も、プラスチック、ステンレス等、腐食、溶解せず、材質が変化しないものであれば任意である。
【００２２】  取付具４０は、水洗トイレ用固形洗浄剤溶出袋Ｘを貯水タンクＷに固定する部分であり、枠体３０に設けられている。図３（ａ）は本考案に係る水洗トイレ用固形洗浄剤溶出袋Ｘと貯水タンク壁面Ｗａの構成を示し、図３（ｂ）は水洗トイレ用固形洗浄剤溶出袋Ｘと貯水タンクＷの構成、また、水洗トイレ用固形洗浄剤溶出袋Ｘと貯水タンク内の水面Ｆとの構成を示す。取付具４０は、フック以外にクリップ等の周知の係止手段を用いることも勿論できる。取付具４０の材質は、プラスチック、ステンレス等、腐食、溶解せず、材質が変化しないものであれば任意である。
【符号の説明】Ｘ      水洗トイレ用固形洗浄剤溶出袋
１０    溶出袋部
１０ａ  袋下端部内面
１０ｂ  袋下端部外面
２０    重り体
３０    枠体
３０ａ  開口部
４０    取付具
Ｗ      貯水タンク
Ｗａ    貯水タンク壁面
Ｎ      浮き球
Ｆ      貯水タンク内の水面
Ｌ      固形洗浄剤
【図１】
0003169900.tif 000003
【図２】
0003169900.tif 000004
【図３】
0003169900.tif 000005